(57)【特許請求の範囲】
【請求項１】
ブロック本体の舗装側の側面に防草部を備えた防草機能付ブロックにおいて、
前記防草部は、ブロック本体の内側に向けて略台形状もしくは略三角形状に凹んだ凹条であり、その上端が下端よりも内側に位置し、
前記凹条は奥側から斜め上方に延びる上側の傾斜面と、奥側から斜め下方に延びる下側の傾斜面と、を有し、
前記上側の傾斜面の水平面からの角度を角度θ１とし、前記下側の傾斜面の水平面からの角度を角度θ２としたときに、
前記上側の傾斜面の角度θ１が下側の傾斜面の角度θ２よりも大きく、さらに、
前記下側の傾斜面の角度θ２が１０°〜３０°であることを特徴とする防草機能付ブロック。
【請求項２】
上端が下端よりも５ｍｍ〜３０ｍｍ内側に位置することを特徴とする請求項１記載の防草機能付ブロック。
【発明の詳細な説明】
【技術分野】
【０００１】
本発明は、舗装路の境界や側溝、中央分離帯等に用い、舗装材との境に防草機能を備えた防草機能付ブロックに関するものである。
【背景技術】
【０００２】
従来、コンクリートやアスファルトで舗装された舗装路において、歩道と車道の境界や中央分離帯、舗装路脇の側溝等にはコンクリート製の境界ブロックもしくは側溝ブロックが敷設される。そして、コンクリートやアスファルト等の舗装材は、これらブロック本体の舗装路側の側面に接するように打設される。しかしながら、舗装材は寒暖差や車両運行時の振動等により収縮、膨張を繰り返し、年を経るごとにブロック本体の側面と舗装材との間には徐々に隙間が形成される。そして、この状態を放置するとこの隙間に土が溜まって雑草が生育し、舗装路の美観や安全性を損なうという問題点がある。この問題点に関し、下記［特許文献１］には、図１３に示すように、縁石体２の舗装側の側面上部にＬ状の溝状切り欠き部３（防草部）を設け、さらにその溝状切り欠き部３の水平面に断面Ｖ字状の溝３ｃを備えた防草機能を有する縁石に関する考案が開示されている。
【先行技術文献】
【特許文献】
【０００３】
【特許文献１】実公平２−２６９６４号公報
【発明の概要】
【発明が解決しようとする課題】
【０００４】
しかしながら、［特許文献１］に記載の考案は、舗装側の側面上部にＬ状の防草部を設けるため、その分、ブロック本体の上部（舗装材からの露出部）の幅が狭くなるという問題点がある。
【０００５】
本発明は上記事情に鑑みてなされたものであり、ブロック本体の幅寸法への影響が少ない防草機能付ブロックを提供することを目的とする。
【課題を解決するための手段】
【０００６】
本発明は、
（１）ブロック本体５０の舗装側の側面５２に防草部３０を備えた防草機能付ブロックにおいて、
前記防草部３０は、ブロック本体５０の内側に向けて略台形状もしくは略三角形状に凹んだ凹条であり、その上端３４ａが下端３４ｂよりも内側に位置し、
前記凹条は奥側から斜め上方に延びる上側の傾斜面３２ａと、奥側から斜め下方に延びる下側の傾斜面３２ｂと、を有し、
前記上側の傾斜面３２ａの水平面からの角度を角度θ１とし、前記下側の傾斜面３２ｂの水平面からの角度を角度θ２としたときに、
前記凹条の上側の傾斜面３２ａの角度θ１が下側の傾斜面３２ｂの角度θ２よりも大きく、さらに、前記下側の傾斜面３２ｂの角度θ２が１０°〜３０°であることを特徴とする防草機能付ブロック８０を提供することにより、上記課題を解決する。
（２）上端３４ａが下端３４ｂよりも５ｍｍ〜３０ｍｍ内側に位置することを特徴とする上記（１）記載の防草機能付ブロック８０を提供することにより、上記課題を解決する。
【発明の効果】
【０００７】
本発明に係る防草機能付ブロックは、ブロック本体の幅方向の寸法変化を抑えながら高い防草効果を有することができる。
【図面の簡単な説明】
【０００８】
【図１】本発明に係る防草機能付ブロックを縁石部を備えた歩車道境界ブロックに適用した例を示す図である。
【図２】本発明に係る防草機能付ブロックの防草部の拡大図である。
【図３】本発明に係る防草機能付ブロックを地先境界ブロックに適用した例を示す図である。
【図４】本発明に係る防草機能付ブロックを並木枡用ブロックに適用した例を示す図である。
【図５】本発明に係る防草機能付ブロックを歩車道で段差を有する歩車道境界ブロックに適用した例を示す図である。
【図６】本発明に係る防草機能付ブロックを乗入型の歩車道境界ブロックに適用した例を示す図である。
【図７】本発明に係る防草機能付ブロックをＢＯＸ型の側溝ブロックに適用した例を示す図である。
【図８】本発明に係る防草機能付ブロックを上下分離型の縁石付側溝ブロックに適用した例を示す図である。
【図９】本発明に係る防草機能付ブロックを自由勾配型の側溝ブロックに適用した例を示す図である。
【図１０】本発明に係る防草機能付ブロックをＬ字擁壁ブロックに適用した例を示す図である。
【図１１】本発明に係る防草機能付ブロックをＵ字の側溝ブロックに適用した例を示す図である。
【図１２】本発明に係る防草機能付ブロックを縁石付歩車道境界ブロックに適用した例を示す図である。
【図１３】従来の防草機能を有する縁石を示す図である。
【発明を実施するための形態】
【０００９】
本発明に係る防草機能付ブロック８０の実施の形態について図面に基づいて説明する。ここで、図１は本発明に係る防草機能付ブロック８０を縁石部を備えた両面型の歩車道境界ブロックに適用した例を示す図である。尚、図１（ａ）はこの防草機能付ブロック８０の正面図を、図１（ｂ）は平面図を、図１（ｃ）は左側面図を、図１（ｄ）は右側面図を、図１（ｅ）は背面図を、図１（ｆ）は底面図を、それぞれ示す。
【００１０】
本発明に係る防草機能付ブロック８０は、図１に示すように、ブロック本体５０と、このブロック本体５０の少なくとも一方の舗装側の側面５２に形成された防草部３０と、を有している。尚、図１では一方の側面５２に防草部３０を形成した例を示しているが、防草部３０は一方の側面５２のみならず、両側の側面に形成しても良い。また、防草部３０は基本的に舗装材の上面位置より若干（後述のＬ２寸法）下に形成する。よって、防草部３０の形成位置は舗装面の位置に準じ、適用する防草機能付ブロック８０によって変化する。これらのことは、後述の各ブロックに適用した例においても同様である。
【００１１】
次に、本発明に係る防草機能付ブロック８０の防草部３０の拡大図を図２に示す。本発明に係る防草部３０は、舗装材が接する側面５２からブロック本体５０の内側に略水平方向に凹んだ凹条で構成され、その断面は上側の傾斜面３２ａと下側の傾斜面３２ｂとを備えた略台形状もしくは略三角形状を呈する。そして、凹条の上端３４ａが下端３４ｂよりも内側に位置することを特徴とする。尚、このように凹条の上端３４ａが下端３４ｂよりも内側に位置することで、転圧による防草部３０内への舗装材の充填性が向上し、防草部３０に空隙が生じることを防止することができる。尚、凹条の上端３４ａと下端３４ｂとの位置の差Ｌ１は大きすぎるとブロック本体５０の幅寸法への影響が大きくなり、小さすぎると舗装材の充填性が低下する。よって、５ｍｍ〜３０ｍｍが好ましく、１０ｍｍ±５ｍｍとすることが特に好ましい。
【００１２】
そして、本発明に係る防草部３０は前述のように側面５２から内側に向けて凹んだ凹条であるため、露出部分の幅寸法の寸法変化（Ｌ１）が少なく、十分な幅の露出部分を確保することができる。また、露出部分の幅を変えずに埋設部分を拡げる場合でも、幅寸法の変化量（Ｌ１）が少ないためブロック本体５０の体積増加も小さく材料コストも大きく増大しない。
【００１３】
尚、上側の傾斜面３２ａの角度θ１、下側の傾斜面３２ｂの角度θ２は、舗装材の充填性を良好とするために、上側の傾斜面３２ａの角度θ１を下側の傾斜面３２ｂの角度θ２よりも大きくし、特に、上側の傾斜面３２ａの角度θ１は３０°〜４０°が好ましく、３５°±２°が最も好ましい。また、下側の傾斜面３２ｂの角度θ２は１０°〜３０°とし、２０°±４°が最も好ましい。尚、角度θ１、角度θ２が上記の範囲を超えると充填性は向上するものの、防草部３０の屈曲が緩やかになって雑草の根の成長防止効果が低減する虞が有る。また、角度θ１、角度θ２が上記の範囲を下回ると防草部３０が鋭角となって舗装材の充填性が低下する虞が有る。
【００１４】
また、舗装材の上面１から防草部３０の上端３４ａまでの距離Ｌ２は短い方がブロック本体５０と舗装材との間に隙間が生じた場合でも雑草の根の成長スペースが浅く制限され、防草効果の面から好ましい。よって、距離Ｌ２は５ｍｍ〜３０ｍｍが好ましく、特に１０ｍｍ±５ｍｍが好ましい。また、凹条の幅Ｌ３は２０ｍｍ〜６０ｍｍが好ましく、特に３０ｍｍ±５ｍｍが好ましい。さらに、防草部３０の側面５２からの深さＬ４は２０ｍｍ〜５０ｍｍが好ましく、特に２５ｍｍ±５ｍｍが好ましい。そして、本発明に係る防草部３０は、上記寸法と上記の角度θ１、θ２の範囲を取ることで適度に屈曲し、この屈曲（傾斜面３２ａ、３２ｂ）による接触抵抗によって舗装材の収縮を防止する。また、仮に隙間が生じた場合でも、この屈曲によって雑草の根の成長は阻害され、雑草の成長を防止することができる。
【００１５】
また、本発明の防草部３０はブロック本体５０の垂直方向に凹みを有さない。ここで、例えば従来技術に記したＬ状の防草部のように垂直方向に凹み（断面Ｖ字状の溝３ｃ）を有する場合、この凹み部分の舗装材に自身の膨張収縮時の剪断応力が集中し破断する可能性がある。そして、凹み部分の舗装材が破断すると舗装材の収縮防止機能は劣化する。この点、本発明の防草部３０はブロック本体５０の内側に向けて略水平方向に形成し、傾斜面３２ａ、３２ｂによる接触抵抗によって舗装材の収縮を防止する。このため、舗装材の収縮時の応力は特定の部位に集中せず破断も生じることが無い。これにより、舗装材の収縮防止機能及び防草機能を長期間維持することができる。
【００１６】
次に、本発明に係る防草機能付ブロック８０の適用例を示す。ここで、図３〜図１２の（ａ）は各適用例の正面図を示し、図３〜図１２の（ｂ）は各適用例の平面図を示し、図３〜図１２の（ｃ）は各適用例の左側面図を示し、図３〜図１２の（ｄ）は各適用例の右側面図を示し、図３〜図１２の（ｅ）は各適用例の背面図を示し、図３〜図１２の（ｆ）は各適用例の底面図を示す。
【００１７】
先ず、図３は防草機能付ブロック８０を地先境界ブロックに適用した例であり、図４は並木枡用ブロックに適用した例であり、図５は歩車道で段差を有する歩車道境界ブロック（片面型）に適用した例であり、図６は乗入型の歩車道境界ブロックに適用した例である。この図３〜図６に示す防草機能付ブロック８０は、基本的にブロック本体５０の上面と面一となるように舗装材を敷設する。よって、防草部３０はブロック本体５０の上部に設けられる。尚、図３〜図６に示す防草機能付ブロック８０では、防草部３０を片方の側面５２に設けた例を示しているが、防草部３０は両側に設けても良い。
【００１８】
また、図７は防草機能付ブロック８０をＢＯＸ型の側溝ブロックに適用した例を示すものである。この側溝ブロックに適用した防草機能付ブロック８０は、ブロック本体５０の内部に雨水等を流下させる側溝部１２を有するとともに、図７（ｄ’）のＸ−Ｘ断面図に示すように、ブロック本体５０の上部に側溝部１２と連通する排水口１４を備えている。尚、図７ではブロック本体５０の片側の側面５２に防草部３０を設けた例を示している。
【００１９】
また、図８は防草機能付ブロック８０を上下分離型の縁石付側溝ブロックに適用した例を示すものである。この側溝ブロックに適用した防草機能付ブロック８０は、図８（ｇ）のＸ−Ｘ断面図及び使用状態を示す図に表すように、Ｕ字形状の下部側溝ブロック１６と組み合わせることで内部に側溝部１２を形成する。そして、ブロック本体５０の上面に形成された排水口１４はこの側溝部１２と連通する。尚、図８ではブロック本体５０の両側の側面５２に防草部３０を設けた例を示している。
【００２０】
また、図９は防草機能付ブロック８０を自由勾配型の側溝ブロックに適用した例を示すものである。この側溝ブロックに適用した防草機能付ブロック８０は、図９（ｄ’）のＸ−Ｘ断面図に示すように、底部に所定の勾配のコンクリート部１８を打設することで内部に側溝部１２を形成する。そして、ブロック本体５０の上面に形成された排水口１４はこの側溝部１２と連通する。尚、本例では図９（ｄ’’）のＹ−Ｙ断面図に示すように、上面の中央部分にグレーチング等を嵌め込むグレーチング孔２０を有する例を示している。また、防草部３０をブロック本体５０の片側の側面５２に設けた例を示している。
【００２１】
また、図１０は防草機能付ブロック８０をＬ字擁壁ブロックに適用した例を示すものである。このＬ字擁壁ブロックに適用した防草機能付ブロック８０は、側面に水抜き穴２２を有するとともに、Ｌ字の内側の側面５２の上部に防草部３０を備える。そして、Ｌ字の内側に土砂及び舗装を敷設して道路脇の擁壁を構成する。
【００２２】
また、図１１は防草機能付ブロック８０をＵ字の側溝ブロックに適用した例を示すものである。このＵ字の側溝ブロックに適用した防草機能付ブロック８０は、ブロック本体５０の上部が開口した側溝部１２を有している。そして、図１１（ｄ’）の使用状態を示す断面図に表すように、ブロック本体５０の上部に排水口１４を備えた蓋部１９を載置して側溝部１２の上部を閉塞し使用する。尚、図１１ではブロック本体５０の片側の側面５２に防草部３０を設けた例を示している。
【００２３】
また、図１２は防草機能付ブロック８０を縁石付歩車道境界ブロックに適用した例を示すものである。この縁石付歩車道境界ブロックに適用した防草機能付ブロック８０は、ブロック本体５０の上部に縁石部を有している。そして、図１２ではブロック本体５０の両側の側面５２に防草部３０を設けた例を示している。
【００２４】
以上のように、本発明に係る防草機能付ブロック８０の防草部３０は、舗装材が接する側面５２からブロック本体５０の内側に略水平方向に凹んだ凹条で構成される。このため、露出部分の幅寸法の寸法変化が少なく、十分な幅の露出部分を確保することができる。また、凹条の上端３４ａを下端３４ｂよりも内側に位置させることで、転圧による防草部３０内への舗装材の充填性が向上し、防草部３０に空隙が生じることを防止することができる。さらに、本発明に係る防草部３０は垂直方向に凹みを有さないため、舗装材の膨張収縮時の応力が特定の部位に集中せず、舗装材の破断が生じにくい。これにより、舗装材の収縮防止機能及び防草機能を長期間維持することができる。
【００２５】
尚、上記の防草機能付ブロック８０の適用例は具体的な一例であるから、防草機能付ブロック８０、防草部３０、ブロック本体５０等の形状、寸法、構成、模様、凹凸等は、本発明の要旨を逸脱しない範囲で変更して実施することが可能である。また、本発明に係る防草機能付ブロック８０は上記の適用例で示した形状、用途のブロックのみならず、少なくとも一方の側面に舗装が施される全てのブロックに適用が可能である。
【符号の説明】
【００２６】
３０    防草部
３２ａ  傾斜面（上側）
３２ｂ  傾斜面（下側）
３４ａ  上端
３４ｂ  下端
５０    ブロック本体
５２    側面
８０    防草機能付ブロック
【要約】
【課題】ブロック本体の幅寸法への影響が少ない防草機能付ブロックを提供する。
【解決手段】この防草機能付ブロック８０の防草部３０は、舗装材が接する側面５２からブロック本体５０の内側に略水平方向に凹んだ凹条で構成される。このため、露出部分の幅寸法の寸法変化が少なく、十分な幅の露出部分を確保することができる。また、凹条の上端３４ａを下端３４ｂよりも内側に位置させることで、転圧による防草部３０内への舗装材の充填性が向上し、防草部３０に空隙が生じることを防止することができる。さらに、この防草部３０は垂直方向に凹みを有さないため、舗装材の膨張収縮時の応力が特定の部位に集中せず、舗装材の破断が生じにくい。これにより、舗装材の収縮防止機能及び防草機能を長期間維持することができる。
【選択図】図２【図１】
0005963931.tif 000002
【図２】
0005963931.tif 000003
【図３】
0005963931.tif 000004
【図４】
0005963931.tif 000005
【図５】
0005963931.tif 000006
【図６】
0005963931.tif 000007
【図７】
0005963931.tif 000008
【図８】
0005963931.tif 000009
【図９】
0005963931.tif 000010
【図１０】
0005963931.tif 000011
【図１１】
0005963931.tif 000012
【図１２】
0005963931.tif 000013
【図１３】
0005963931.tif 000014